(57)【要約】【課題】磁気センサ６０の集積回路８１の電源入力端子８１ａに制御電圧が正常に与えられているか否かを判定する。【解決手段】磁気センサ６０において、制御端子９３ｂは、ローパスフィルタ回路３００を構成する抵抗素子１１０より電源入力端子８１ａ側に接続されることになる。データ書き込み用の治具としてのコンピュータ２００は、制御端子９３ｂを通して検出された電圧に基づいて、集積回路８１の電源入力端子８１ａに制御電圧が正常に与えられたか否かを判定するので、電源入力端子８１ａに制御電圧が正常に与えられていない磁気センサ６０を見つけることができる。【選択図】図７
2010028300.tif 000002
【特許請求の範囲】
【請求項１】
外部コネクタ（１２０）に嵌合する嵌合部（７２）を有するコネクタハウジング（７０）と、
前記コネクタハウジング（７０）のうち前記嵌合部（７２）側に突出する電源端子（９０）と、
前記コネクタハウジング（７０）のうち前記嵌合部（７２）側に突出するグランド端子（９１）と、
前記コネクタハウジング（７０）内に配置され、電源入力端子（８１ａ）を有し、かつ前記電源入力端子（８１ａ）を通して入力されたデータを電源供給されずに記憶する電子デバイス（８１）と、を備え、
前記電子デバイス（８１）には、前記電源入力端子（８１ａ）に与えられた制御電圧に基づいて、前記電源入力端子（８１ａ）を通して入力されたデータが記憶されるようになっており、
前記電子デバイス（８１）の前記電源入力端子（８１ａ）と前記電源端子（９０）との間に配置されている抵抗素子（１１０）と、前記電源端子（９０）と前記グランド端子（９１）との間に配置されているコンデンサ（１００）とを有し、前記電源端子（９０）から前記電源入力端子（８１ａ）に与えられる電源電圧を安定化させるローパスフィルタ回路（３００）と、を備え、
前記電子デバイス（８１）は、前記電源入力端子（８１ａ）を通して与えられる電源電圧により作動するようになっており、
前記コネクタハウジング（７０）のうち前記嵌合部（７２）側には、前記外部コネクタ（１２０）により塞がれるように形成されている凹部（７２ｂ）が設けられており、
前記抵抗素子（１１０）より前記電源入力端子（８１ａ）側に接続され、かつ前記凹部（７２ｂ）内に突出して先端部が前記凹部（７２ｂ）内に位置するように形成され、前記電源入力端子（８１ａ）に前記制御電圧を与えるための制御端子（９３ｂ）を備えることを特徴とする電子機器。
【請求項２】
前記電子デバイス（８１）は、
磁界を電気信号に変換するホール素子（１４２）と、
前記電気信号を補正するための補正用データを前記データとして記憶する不揮発性メモリ（１４１）と、
前記不揮発性メモリに記憶された補正用データに基づいて前記ホール素子から出力された電気信号を補正する補正回路（１４０）と、を備えることを特徴とする請求項１に記載の電子機器。
【請求項３】
外部コネクタ（１２０）に嵌合する嵌合部（７２）を有するコネクタハウジング（７０）と、
前記コネクタハウジング（７０）のうち前記嵌合部（７２）側に突出する電源端子（９０）と、
前記コネクタハウジング（７０）のうち前記嵌合部（７２）側に突出するグランド端子（９１）と、
前記コネクタハウジング（７０）内に配置され、電源入力端子（８１ａ）を有し、かつ前記電源入力端子（８１ａ）を通して入力されたデータを電源供給されずに記憶する電子デバイス（８１）と、
前記電子デバイス（８１）の前記電源入力端子（８１ａ）と前記電源端子（９０）との間に配置されている抵抗素子（１１０）と、前記電源端子（９０）と前記グランド端子（９１）との間に配置されているコンデンサ（１００）とを有し、前記電源端子（９０）から前記電源入力端子（８１ａ）を通して前記電子デバイス（８１）に与えられる電源電圧を安定化させるローパスフィルタ回路（３００）と、を備え、
前記電子デバイス（８１）は、前記電源入力端子（８１ａ）を通して与えられる電源電圧により作動するようになっており、
前記コネクタハウジング（７０）のうち前記嵌合部（７２）側には、前記外部コネクタ（１２０）により塞がれるように形成されている凹部（７２ｂ）が設けられており、
前記抵抗素子（１１０）より前記電源入力端子（８１ａ）側に接続され、かつ前記凹部（７２ｂ）内に突出して先端部が前記凹部（７２ｂ）内に位置するように形成されている制御端子（９３ｂ）を備える電子機器の検査方法であって、
前記電源入力端子（８１ａ）を通して入力されたデータを前記電子デバイス（８１）に記憶させるための制御電圧を、前記制御端子（９３ｂ）から前記電子デバイス（８１）の前記電源入力端子（８１ａ）に出力する第１のステップ（Ｓ１１０）と、
前記第１のステップ（Ｓ１１０）により前記電源入力端子（８１ａ）に出力された制御電圧を前記制御端子（９３ｂ）を通して検出する第２のステップ（Ｓ１２０）と、
前記第２のステップ（Ｓ１２０）により前記制御端子（９３ｂ）を通して検出された電圧に基づいて、前記電源入力端子（８１ａ）に与えられた前記制御電圧が第１の電圧以上であるか否かを判定することにより、前記電源入力端子（８１ａ）に前記制御電圧が正常に与えられたか否かを判定する第３のステップ（Ｓ１３０）と、を備えることを特徴とする電子機器の検査方法。
【請求項４】
前記第３のステップ（Ｓ１３０）では、前記第１の電圧以上の前記制御電圧が一定時間以上に亘って前記電源入力端子（８１ａ）に出力されたか否かを判定することにより、前記電源入力端子（８１ａ）に前記制御電圧が正常に与えられたか否かを判定することを特徴とする請求項３に記載の電子機器の検査方法。
【請求項５】
前記第３のステップ（Ｓ１３０）では、前記第１の電圧以上で、かつ前記第１の電圧より大きい第２の電圧未満の前記制御電圧が一定時間以上に亘って出力されたか否かを判定することにより、前記電源入力端子（８１ａ）に前記制御電圧が正常に与えられたか否かを判定することを特徴とする請求項３に記載の電子機器の検査方法。
【発明の詳細な説明】
【技術分野】
【０００１】
本発明は、電子機器および電子機器の検査方法に関するものである。
【背景技術】
【０００２】
従来、電子デバイスにおいて、例えば非特許文献１に示すように、磁界を電気信号に変換するホール素子と、データを記憶するＥＥＰＲＯＭ（Ｅｌｅｃｔｒｉｃａｌｌｙ  Ｅｒａｓａｂｌｅ  ＰＲＯＭ）と、ホール素子から出力される出力信号をデータを用いて処理する制御回路を備えるものがある。
【０００３】
このものにおいて、電子デバイスには、電源電圧が与えられる電源入力端子が設けられている。電子デバイスの電源入力端子は、電源電圧の印加以外に、データの書き込みに用いられる。
【０００４】
ここで、電子デバイスのＥＥＰＲＯＭにデータを書き込む際には、ＥＥＰＲＯＭにデータを記憶させるために、データを電源入力端子から電子デバイスに与えた後に、制御電圧を電源入力端子から電子デバイスに与える必要がある。
【非特許文献１】ＭＩＣＲＯＮＡＳ社製  ＨＡＬ  ８１５（Ｐｒｏｇｒａｍｍａｂｌｅ  Ｌｉｎｅａｒ  Ｈａｌｌ  Ｅｆｆｅｃｔ  Ｓｅｎｓｏｒ）のハードウェア説明書
【発明の開示】
【発明が解決しようとする課題】
【０００５】
本発明者は、上述の電子デバイスと、電源電圧を安定化させるローパスフィル回路とを、コネクタハウジングに内蔵した電子機器ついて検討したところ、次のような問題点が分かった。
【０００６】
コネクタハウジングに設けられた電源端子と電子デバイスの電源入力端子との間に抵抗素子を接続してローパスフィル回路を構成した場合には、制御電圧が電源端子から抵抗素子を通して電子デバイスの電源入力端子に与えられることになる。
【０００７】
このため、制御電圧が電子デバイスの電源入力端子に与えられる際に、制御電圧に電圧降下が生じる。このため、電子デバイスの電源入力端子に与えられる制御電圧が必要な電圧レベル未満になり、ＥＥＰＲＯＭにデータを正常に記憶させることができない場合がある。
【０００８】
例えば、電源入力端子に与えられる制御電圧が低い場合には、ＥＥＰＲＯＭにデータを記憶させることができない場合以外に、ＥＥＰＲＯＭにデータが一旦記憶されても時間が経過するとデータが変化してしまう場合がある。
【０００９】
本発明は、上記点に鑑みて、データを記憶させるための制御電圧を電子デバイスの電源入力端子に与える際に、制御電圧の電圧降下を生じ難くした電子機器を提供することを第１の目的とし、電子デバイスの電源入力端子に制御電圧が正常に与えられた否かを判定する電子機器の検査方法を提供することを第２の目的とする。
【課題を解決するための手段】
【００１０】
上記目的を達成するため、請求項１に記載の発明では、前記電子デバイス（８１）は、前記電源入力端子（８１ａ）を通して与えられる電源電圧により作動するようになっており、
前記コネクタハウジング（７０）のうち前記嵌合部（７２）側には、前記外部コネクタ（１２０）により塞がれるように形成されている凹部（７２ｂ）が設けられており、
前記抵抗素子（１１０）より前記電源入力端子（８１ａ）側に接続され、かつ前記凹部（７２ｂ）内に突出して先端部が前記凹部（７２ｂ）内に位置するように形成され、前記電源入力端子（８１ａ）に前記制御電圧を与えるための制御端子（９３ｂ）を備えることを特徴とする。
【００１１】
請求項１によれば、制御端子を用いて、制御電圧を抵抗素子を経由せずに電源入力端子に与えることができるので、制御電圧の電圧降下が生じ難くなる。
【００１２】
これに加えて、凹部は外部コネクタにより塞がれように形成されている。このため、電子機器自体を水に触れやすい場所に配置しても、凹部内に水が入り難くなるので、制御端子が水に触れに難くなる。さらに、制御端子の先端部が凹部内に位置するため、コネクタハウジングを外部コネクタに嵌める際に制御端子が外部コネクタに干渉することはない。
【００１３】
請求項２に係る発明では、電子機器の検査方法であって、
前記電源入力端子（８１ａ）を通して入力されたデータを前記電子デバイス（８１）に記憶させるための制御電圧を、前記制御端子（９３ｂ）から前記電子デバイス（８１）の前記電源入力端子（８１ａ）に出力する第１のステップ（Ｓ１１０）と、
前記第１のステップ（Ｓ１１０）により前記電源入力端子（８１ａ）に出力された制御電圧を前記制御端子（９３ｂ）を通して検出する第２のステップ（Ｓ１２０）と、
前記第２のステップ（Ｓ１２０）により前記制御端子（９３ｂ）を通して検出された電圧に基づいて、前記電源入力端子（８１ａ）に与えられた前記制御電圧が第１の電圧以上であるか否かを判定することにより、前記電源入力端子（８１ａ）に前記制御電圧が正常に与えられたか否かを判定する第３のステップ（Ｓ１３０）と、を備えることを特徴とする。
【００１４】
以上により、制御端子を通して検出された電圧に基づいて、制御電圧が所定値以上であるか否かを判定することにより、電源入力端子に制御電圧が正常に与えられたか否かを判定することができる。
【００１５】
ここで、制御端子が凹部内に配置されているため、制御電圧を制御端子に与えるための電圧出力用端子を制御端子に当て難く、制御端子と電圧出力用端子との間に接触不良が生じる可能性がある。
【００１６】
これに対し、請求項３に係る発明では、上述の如く、制御端子を通して検出された電圧に基づいて、電源入力端子に制御電圧が正常に与えられたか否かを判定するので、電源入力端子に制御電圧が正常に与えられていない電子機器を見つけることができる。
【００１７】
請求項４に係る発明では、前記第３のステップ（Ｓ１３０）では、前記第１の電圧以上の前記制御電圧が一定時間以上に亘って前記電源入力端子（８１ａ）に出力されたか否かを判定することにより、前記電源入力端子（８１ａ）に前記制御電圧が正常に与えられたか否かを判定することを特徴とする。
【００１８】
請求項５に係る発明では、前記第３のステップ（Ｓ１３０）では、前記第１の電圧以上で、かつ前記第１の電圧より大きい第２の電圧未満の前記制御電圧が一定時間以上に亘って出力されたか否かを判定することにより、前記電源入力端子（８１ａ）に前記制御電圧が正常に与えられたか否かを判定することを特徴とする。
【００１９】
なお、この欄および特許請求の範囲で記載した各手段の括弧内の符号は、後述する実施形態に記載の具体的手段との対応関係を示すものである。
【発明を実施するための最良の形態】
【００２０】
図１、図２に本発明に係る電子機器が適用された車両用磁気センサの一実施形態を示す。本実施形態の車両用磁気センサは、空調装置用圧縮機に配置され、圧縮機の吐出冷媒流量を検出するために用いられている。
【００２１】
まず、圧縮機の概略構成について説明する。図１は圧縮機の概略構成を示す模式図である。
【００２２】
圧縮機１０は、車両エンジンルーム内に配置されたもので、圧縮機構２５、絞り弁４０、圧力差検出部３０、および磁気センサ６０を備えている。
【００２３】
圧縮機構２５は、冷媒吸入口２１を通して蒸発器８からの冷媒を吸入して圧縮する。絞り弁４０は、圧縮機構２５と冷媒吐出口２２との間に配置され、圧縮機構２５により圧縮された冷媒に圧力損失を発生させる。
【００２４】
図２に圧力差検出部３０の構成を示す。
【００２５】
圧力差検出部３０は、ハウジング２０内に設けられた収納室３１と収納室３１内に配置されているスプール３２とから構成されている。収納室３１は、上下方向に延びるように形成されている。収納室３１はスプール３２を上下方向に摺動可能に設けられている。スプール３２の上端部には、磁石３３が配置されている。  スプール３２の上端部と収納室３１の天井部３１ａとの間には、バネ３４ａが配置されている。スプール３２の下端部と収納室３１の床部３１ｂとの間には、バネ３４ｂが配置されている。これにより、スプール３２は、バネ３４ａ、３４ｂにより上下方向から付勢されることになる。
【００２６】
収納室３１の床部３１ｂには、開口部３５ａが形成されている。開口部３５ａは、絞り弁４０の冷媒出口側に連通している。これにより、収納室３１のうちスプール３２の下側には、絞り弁４０の上流側冷媒圧力が加わることになる。
【００２７】
収納室３１の上側には開口部３５ｂが形成されている。開口部３５ｂは、絞り弁４０の冷媒入口側に連通している。これにより、収納室３１のうちスプール３２の上側には、絞り弁４０の下流側冷媒圧力が加わることなる。
【００２８】
絞り弁４０を通過する冷媒量が多くなると、絞り弁４０の下流側冷媒圧力と絞り弁４０の上流側冷媒圧力との圧力差（以下、前後差圧という）が大きくなる。
これにより、前後差圧によりスプール３２に押し下げる力が加わるので、スプール３２が下側に移動する。
【００２９】
絞り弁４０を通過する冷媒量が減ると、前後差圧が小さくなる。これに伴い、前後差圧によりスプール３２を上げる力が加わるので、スプール３２が上側に移動する。以上により、冷媒流量の変動によって、スプール３２が上下方向に移動することになる。
【００３０】
磁気センサ６０は、ハウジング２０の上側で、かつ収納室３１の上側に位置する。このため、スプール３２の上下移動に伴って磁石３３から発生して磁気センサ６０を通過する磁界が変化する。すなわち、磁気センサ６０によって検出される磁界が冷媒流量の変動によって変化することになる。
【００３１】
次に、本実施形態の磁気センサ６０の構成を示す。
【００３２】
図３は磁気センサ６０の断面図、図４は図３中Ａ−Ａ断面図、図５は図３中Ｂ矢視図である。
【００３３】
磁気センサ６０は、図３および図４に示すように、ハウジング７０、集積回路８１、端子９０、９１、９２、９３、９４、コンデンサ１００、１０１、および抵抗素子１１０、１１１を備える。
【００３４】
ハウジング７０は、樹脂材料からなるもので、ハウジング本体７１と嵌合部７２とを備える。ハウジング本体７１は、集積回路８１、端子９１、９３、９４、コンデンサ１００、１０１、および抵抗素子１１０、１１１を覆うように形成されている。嵌合部７２は、図４および図５に示すように、ハウジング本体７１から環状に突出して凹部７２ａを形成している。
【００３５】
集積回路８１は、電子デバイスを構成するもので、図４に示すように、電源入力端子８１ａ、グランド端子８１ｂ、および出力端子８１ｃが設けられている。
【００３６】
端子９０は、凹部７２ａの底部７２ｃから凹部７２ａ内に突出するように形成されている。端子９０は、電源端子を構成するもので、抵抗素子１１０を通して端子９３に接続されている。端子９３の一端側９３ａは、集積回路８１の電源入力端子８１ａに接続されている。
【００３７】
端子９３の他端側は、底部７２ｃから凹部７２ｂ内に突出する制御端子９３ｂを構成している。凹部７２ｂは、底部７２ｃに形成されている。制御端子９３ｂの先端部が凹部７２ｂ内に位置するように形成されている。このことにより、制御端子９３ｂは、抵抗素子１１０より電源入力端子８１ａ側に接続されることになる。
【００３８】
端子９１は、凹部７２ａの底部７２ｃから凹部７２ａ内に突出するように形成されている。端子９１は、グランド端子を構成するもので、集積回路８１のグランド端子８１ｂに接続されている。
【００３９】
端子９２は、凹部７２ａの底部７２ｃから凹部７２ａ内に突出するように形成されている。端子９２は、出力端子を構成するもので、抵抗素子１１１を通して端子９４に接続されている。
【００４０】
端子９４は、集積回路８１の出力端子８１ｃに接続されている。コンデンサ１００は、端子９１と端子９３との間に接続されている。コンデンサ１０１は、端子９１と端子９４との間に接続されている。
【００４１】
ハウジング７０の嵌合部７２は、図６に示すように、外部コネクタ１２０が嵌合される。図６は、嵌合部７２と外部コネクタ１１０とが互いに嵌合した状態を示す断面図である。
【００４２】
外部コネクタ１２０のハウジング１２１は、ハウジング外周部１２２とハウジング突起部１２３とを備える。ハウジング外周部１２２は、嵌合部７２を外側から覆うように形成されている。ハウジング突起部１２３は、凹部７２ａ内に嵌るように形成されている。これにより、ハウジング７０の凹部７２ｂは、突起部１２２により塞がれることになる。
【００４３】
突起部１２２の内部１２２ａには、３本の端子１２４が配置されている。図６には１本の端子１２４だけを示す。
【００４４】
３本の端子１２４は、磁気センサ６０の端子９０、９１、９２のそれぞれに対応するように設けられている。３本の端子１２４は、端子９０、９１、９２のうち対応する端子に接触する。３本の端子１２４は、電線１３０を通して電子制御装置（図示省略）に接続されている。電線１３０は、ハウジング突起部１２３の内部１２２ａから貫通穴１２２ｂを通して電子制御装置側に延びている。
【００４５】
外部コネクタ１２０には、パッキン材１２５ａ、１２５ｂが設けられている。配置されている。パッキン材１２５ａは、突起部１２２と嵌合部７２との間を密閉する。パッキン材１２５ｂは、ハウジング突起部１２３のうち貫通穴１２２ｂを形成する穴形成部１２２ｃと電線１３０との間を密閉している。
【００４６】
次に、本実施形態の磁気センサ６０の電気回路構成について図７を参照して説明する。図７は磁気センサ６０の電気回路構成を示す図である。
【００４７】
集積回路８１は、図７に示すように、制御回路１４０、メモリ１４１、およびセンサエレメント１４２を備える。センサエレメント１４２は、磁界を検出するホール素子である。
【００４８】
メモリ１４１は、電源供給されずにデータを保持する不揮発性メモリである。メモリ１４１には、後述するようにセンサエレメント１４２の出力信号を補正するための補正データが記憶される。本実施形態のメモリ１４１として、例えば、ＥＥＰＲＯＭ、フラッシュメモリなどが用いられている。
【００４９】
制御回路１４０は、補正回路を構成するもので、センサエレメント１４２の出力信号を補正データに基づいて補正する処理とともに、後述するように電源入力端子８１ａから入力されたデータをメモリ１４１に記憶させる処理を実行する。
【００５０】
抵抗素子１１０は、コンデンサ１００とともに、ローパスフィルタ回路３００を構成する。ローパスフィルタ回路３００は、電源端子９０を通して集積回路８１の電源入力端子８１ａに与えられる電源電圧を安定化させる。
【００５１】
抵抗素子１１１は、コンデンサ１０１とともに、ローパスフィルタ回路３１０を構成する。ローパスフィルタ回路３１０は、集積回路８１の出力端子８１ｃから出力端子９２に出力される出力電圧を安定化させる。
【００５２】
次に、本実施形態の磁気センサ６０の概略作動について説明する。
【００５３】
磁気センサ６０の制御回路１４０は、電源電圧が電源入力端子８１ａに与えられた状態で、磁気の検出処理を行う。具体的には、制御回路１４０は、センサエレメント１４２の出力信号をメモリ１４１に記憶されたデータにより補正して補正後データを出力端子１４１から出力する。この補正後データは抵抗素子１１１を通して出力端子９２から電子制御装置に出力される。
【００５４】
ここで、センサエレメント１４２により検出される磁界は、上述の如く、磁気センサ６０によって検出される磁界が冷媒流量の変動によって変化することになる。このため、補正後データは、圧縮機１０から吐出される冷媒流量を示すことになる。
【００５５】
次に、本実施形態の磁気センサ６０の製造方法について説明する。
【００５６】
まず、集積回路８１、端子９０、９１、９２、９３、９４、コンデンサ１００、１０１、および抵抗素子１１０、１１１のそれぞれをハンダ付けにより接合する。
【００５７】
その後、樹脂成型によりハウジング７０を成形する。このとき、ハウジング７０により集積回路８１、端子９３、９４、コンデンサ１００、１０１、および抵抗素子１１０、１１１を覆うようにハウジング７０を成形する。
【００５８】
このことにより、ハウジング７０、集積回路８１、端子９０、９１、９２、９３、９４、コンデンサ１００、１０１、および抵抗素子１１０、１１１が一体化されることになる。
【００５９】
次に、本実施形態の磁気センサ６０の集積回路８１にデータを書き込む製造工程について図８を参照して説明する。
【００６０】
まず、データの書き込み製造工程では、データ書き込み用の治具として図８に示すコンピュータ２００が用いられる。コンピュータ２００にケーブル２３０が接続されている。ケーブル２３０には、治具用コネクタ２１０が接続されている。治具用コネクタ２１０は、データの書き込み製造工程において、磁気センサ６０のハウジング７０の嵌合部７２に対して嵌合される。
【００６１】
治具用コネクタ２１０には、磁気センサ６０の端子９０、９１、９２のそれぞれに接触する３つの端子（図示省略）が設けられている。３つの端子は、ケーブル２３０を介してコンピュータ２００に接続されている。
【００６２】
さらに、治具用コネクタ２１０には、上記３つの端子以外に出力端子および検出端子が設けられている。出力端子は、磁気センサ６０の制御端子９３ｂに対して、後述する制御電圧などを出力するために用いられる。検出端子は、制御端子９３ｂに与えられる制御電圧を検出するために用いられる。出力端子と検出端子とはケーブル２３０を介してコンピュータ２００に接続されている。
【００６３】
図９に治具用コネクタ２１０の出力端子３１０および検出端子３２０の部分拡大図を示す。
【００６４】
出力端子３１０と検出端子３２０とは針状に形成されている。出力端子３１０と検出端子３２０との間には、薄板状の電気絶縁材３１１が配置されている。これにより、出力端子３１０と検出端子３２０とが電気的に絶縁されることになる。
【００６５】
ここで、出力端子３１０の先端部は、電気絶縁材３１０から突出し、かつ膨らむように形成されている。検出端子３２０の先端部は、電気絶縁材３１０から突出し、かつ膨らむように形成されている。
【００６６】
出力端子３１０の先端部と検出端子３２０の先端部とは、磁気センサ６０のハウジング７０凹部７２ｂ内において、弾性力により、制御端子９３ｂを狭持するようになっている。このことにより、出力端子３１０と検出端子３２０とが制御端子９３ｂにそれぞれ接触することができる。
【００６７】
次に、コンピュータ２００によるデータを書き込み処理について図１０を参照して説明する。図１０はデータを書き込み処理を示すフローチャートである。
【００６８】
コンピュータ２００は、図１０のフローチャートにしたがって、データを書き込み処理を実行する。
【００６９】
まず、ステップＳ１００において、データを送信する。データは、ケーブル２３０および治具用コネクタ２１０の出力端子３１０を通して制御端子９３ｂに出力される。その後、データは制御端子９３ｂから集積回路８１の電源入力端子８１ａに出力される。
【００７０】
ここで、データは、図１１に示すように、時間軸上に一列に並べられている複数のパルスから構成されるものであり、前記複数のパルスが電源電圧に畳重されて、電源入力端子８１ａに与えられることになる。
【００７１】
次に、ステップＳ１１０において、制御電圧を出力する。制御電圧は、ケーブル２３０および治具用コネクタ２１０の出力端子３１０を通して制御端子９３ｂに出力される。その後、制御電圧は、制御端子９３ｂから集積回路８１の電源入力端子８１ａに出力される。
【００７２】
ここで、制御電圧は、後述するようにメモリ１４１にデータを記憶させるために用いられる。制御電圧のレベルは、図１１に示すように、データを構成するパルスの波高値より高い値になっている。
【００７３】
次のステップＳ１２０において、集積回路８１の電源入力端子８１ａに与えられた制御電圧を制御端子９３ｂを介して検出する。制御電圧の検出は、治具用コネクタ２１０の検出端子３２０およびケーブル２３０を介して行われる。
【００７４】
次のステップＳ１３０において、集積回路８１の電源入力端子８１ａに制御電圧が正常に与えられたか否かを判定する。具体的には、第１の電圧以上の制御電圧が一定時間以上に亘って電源入力端子８１ａに与えられた否かを判定する。
【００７５】
ここで、電源入力端子８１ａに与えられた制御電圧が第１の電圧未満であるとき、ステップＳ１３０においてＮＯと判定する。
【００７６】
また、第１の電圧以上の制御電圧が電源入力端子８１ａに与えられた時間が一定時間未満であるときには、ステップＳ１３０においてＮＯと判定する。このようにステップＳ１３０においてＮＯと判定すると、ステップＳ１８０に移行する。
【００７７】
また、第１の電圧以上の制御電圧が一定時間以上に亘って電源入力端子８１ａに出力された場合には、ステップＳ１３０において、制御電圧が電源入力端子８１ａに正常に与えられたとして、ＹＥＳと判定する。
【００７８】
ここで、制御電圧が正常に集積回路８１に与えられた場合には、制御回路１４０は、電源入力端子８１ａを通して入力されたデータを制御電圧を用いてメモリ１４１に記憶させる。
【００７９】
次に、ステップＳ１４０において、送信コマンドを出力する。送信コマンドは、
ケーブル２３０および治具用コネクタ２１０の出力端子３１０を通して制御端子９３ｂに出力される。その後、送信コマンドは、制御端子９３ｂから集積回路８１の電源入力端子８１ａに出力される。
【００８０】
ここで、送信コマンドは、時間軸上に一列に並べられている複数のパルスから構成されるものであり、前記複数のパルスが電源電圧に畳重されて、電源入力端子８１ａに与えられることになる。
【００８１】
次に、集積回路８１の制御回路１４０は、送信コマンドにしたがって、メモリ１４１に記憶されたデータを出力端子８１ｃから出力する。この出力されたデータは、抵抗素子１１１を通して出力端子９２から治具用コネクタ２１０およびケーブル２３０を通してコンピュータ２００に出力される。これにより、メモリ１４１に記憶されたデータがコンピュータ２００に受信されることになる。
【００８２】
次のステップＳ１６０において、上述のステップＳ１００で送信した送信データとが制御回路１４０から受信した受信データとが一致するか否かを判定する。
送信データと受信データとが一致するときには、ステップＳ１６０においてＹＥＳと判定する。これに伴い、ステップＳ１７０に移行して、データが正常にメモリ１４１に記憶されたと判定する。
【００８３】
また、送信データと受信データとが不一致であるときに、ステップＳ１６０においてＮＯと判定する。これに伴い、ステップＳ１８０に移行して、データが正常にメモリ１４１に記憶されていないと判定する。
【００８４】
以上説明した本実施形態によれば、磁気センサ６０を製造する際に、データ書き込み用の治具としてのコンピュータ２００は、制御端子９３ｂを通して検出された電圧に基づいて、集積回路８１の電源入力端子８１ａに制御電圧が正常に与えられたか否かを判定する。
【００８５】
ここで、制御端子９３ｂの先端部がハウジング７０の凹部７２ｂ内に配置されているため、制御電圧を制御端子に与えるための出力端子３１１を制御端子９３ｂに当て難く、制御端子９３ｂと出力端子３１１との間に接触不良が生じる可能性がある。
【００８６】
これに対し、本実施形態では、上述の如く、制御端子９３ｂを通して検出された電圧に基づいて、電源入力端子８１ａに制御電圧が正常に与えられたか否かを判定するので、電源入力端子８１ａに制御電圧が正常に与えられていない磁気センサ６０を見つけることができる。
【００８７】
制御端子９３ｂがハウジング７０の凹部７２ｂ内に配置されている。凹部７２ｂは、ハウジング７０の嵌合部７２が外部コネクタ１２０に嵌合された状態で、外部コネクタ１２０により塞がれる。
【００８８】
ここで、ハウジング７０が樹脂材料により成形されているものの、ハウジング７０において制御端子９３ｂの周囲には微小隙間が形成される可能性がある。ここで、圧縮機１０が上述の如く車両エンジンルーム内に配置されているので、磁気センサ６０が雨水等を受けやすい。このため、制御端子９３ｂがハウジング７０の外部に露出していると、制御端子９３ｂが水に触れたり、上述の微小隙間からハウジング７０内部に水が侵入したりする可能性がある。
【００８９】
これに対し、本実施形態では、凹部７２ｂが外部コネクタ１２０により塞がれるので、制御端子９３ｂが水に触れるともない。さらに、上述の微小隙間からハウジング７０内部に水が侵入することもない。
【００９０】
本実施形態では、制御端子９３ｂの先端部が凹部７２ｂ内に位置するので、ハウジング７０の嵌合部７２が外部コネクタ１２０に嵌合された状態で、外部コネクタ１２０に対して制御端子９３ｂが干渉しない。
【００９１】
上述の実施形態では、図１０のステップＳ１３０において、集積回路８１の電源入力端子８１ａに制御電圧が正常に与えられたか否かを判定するために、第１の電圧以上の制御電圧が一定時間以上に亘って電源入力端子８１ａに与えられた否かを判定した例を示したが、これに代えて、（１）、（２）のように判定してもよい。
（１）第１の電圧以上の制御電圧が電源入力端子８１ａに与えられた否かを判定することにより、集積回路８１の電源入力端子８１ａに制御電圧が正常に与えられたか否かを判定してもよい。
（２）第１の電圧以上で、かつ第１の電圧より大きい第２の電圧未満である制御電圧が一定時間以上に亘って電源入力端子８１ａに与えられた否かを判定することにより、集積回路８１の電源入力端子８１ａに制御電圧が正常に与えられたか否かを判定してもよい。
【００９２】
上述の実施形態では、治具用コネクタ２１０の出力端子３１０と検出端子３２０とが制御端子９３ｂを狭持した状態で、出力端子３１０と検出端子３２０とを制御端子９３ｂ接触させた例を示したが、これに限らず、図１２に示すように、２本の出力端子３１０ａ、３１０ｂの間に検出端子３２０と配置した構成にして、２本の出力端子３１０ａ、３１０ｂにより制御端子９３ｂを狭持し、検出端子３２０を制御端子９３ｂの先端側に当てるようにしてもよい。
【００９３】
図１２において、出力端子３１０ａと検出端子３２０との間には電気絶縁材３１１ａが配置されている。出力端子３１０ｂと検出端子３２０との間には電気絶縁材３１１ｂが配置されている。
【００９４】
上述の実施形態では、本発明に係る電子機器を磁気センサ６０に適用した例を示したが、これに限らず、磁気センサ６０以外の電子機器に本発明に係る電子機器を適用してもよい。
【００９５】
上述の実施形態では、圧縮機１０の吐出冷媒量を検出するために本発明に係る電子デバイスとしての磁気センサ６０を用いた例を示したが、これに限らず、吐出冷媒量の検出以外の他の用途に磁気センサ６０を用いてもよい。
【図面の簡単な説明】
【００９６】
【図１】本発明の一実施形態における圧縮機の概略構成を示す図である。
【図２】図１の圧縮機の部分拡大図である。
【図３】図２の磁気センサの断面図である。
【図４】図３中Ａ−Ａ断面図である。
【図５】図３中Ｂ矢視図である。
【図６】図３のハウジングに外部コネクタが嵌合した状態を示す図である。
【図７】図２の磁気センサの電気回路構成図である。
【図８】図２の磁気センサの製造用治具の構成を示す図である。
【図９】図８の治具用コネクタの端子を示す部分拡大図である。
【図１０】図８のコンピュータによるデータ書き込む処理を示すフローチャートである。
【図１１】図８のコンピュータから出力されるデータおよび制御電圧を示す図である。
【図１２】上記実施形態の変形例における治具用コネクタの端子を示す部分拡大図である。
【符号の説明】
【００９７】
１０    圧縮機
２０    ハウジング
２５    圧縮機構
３０    圧力差検出部
４０    絞り弁
５０    流量検出部
６０    磁気センサ
７０    ハウジング
８１    集積回路
９０    端子
９１    端子
９２    端子
９３    端子
９４    端子
１００  コンデンサ
１０１  コンデンサ
１１０  抵抗素子
１１１  抵抗素子
２００  コンピュータ
３００  ローパスフィルタ回路
３１０  ローパスフィルタ回路
【図１】
2010028300.tif 000003
【図２】
2010028300.tif 000004
【図３】
2010028300.tif 000005
【図４】
2010028300.tif 000006
【図５】
2010028300.tif 000007
【図６】
2010028300.tif 000008
【図７】
2010028300.tif 000009
【図８】
2010028300.tif 000010
【図９】
2010028300.tif 000011
【図１０】
2010028300.tif 000012
【図１１】
2010028300.tif 000013
【図１２】
2010028300.tif 000014